(57)【要約】【課題】設置場所の制約を受け難く、且つコードの抜けや断線、本体の破損を防止できる電子機器を実現する。【解決手段】電子機器１の本体９０の底面には、所定高さの支柱５０Ａ，５０Ｂ，５０Ｃ，５０Ｄが配置されている。支柱５０Ａ，５０Ｂ，５０Ｃ，５０Ｄは、底面の四つの角部付近に配置される。底面には、プラグ受け１１０が配置されており、装着用プラグ４１が装着されている。装着用プラグ４１はコード４２に接続している。コード４２は、支柱５０Ａ，５０Ｂ，５０Ｃ，５０Ｄを順に介して、巻き付けられる。この際、コード４２は、本体９０からはみ出さないように、巻き付けられる。コード４２は、所定の長さまで巻き付けられると、支柱５０Ａ，５０Ｂ，５０Ｃ，５０Ｄのいずれかを介して、外部へ引き出される。【選択図】  図１２
2013214586.tif 000002
【特許請求の範囲】
【請求項１】
本体にコードが接続可能な電子機器であって、
前記本体の少なくとも一面に形成された平坦面と、
前記平坦面に配置され、前記本体に当接する支柱と、を備え、
前記支柱は、前記コードの巻き状態を保持する保持手段を有する電子機器。
【請求項２】
前記本体の少なくとも一面は、凸部と凹部を有する二段構造を有し、
前記凹部は前記平坦面をなす、請求項１に記載の電子機器。
【請求項３】
前記支柱は、前記本体が立設する時に、前記本体の前記コードが接続される側の面が電子機器の載置面に対して略平行に保たれるように配置されている、請求項１または請求項２に記載の電子機器。
【請求項４】
前記支柱は、前記凸部とともに、前記本体が立設する時に、前記本体の前記コードが接続される側の面が電子機器の載置面に対して略平行に保たれるように配置されている、請求項２に記載の電子機器。
【請求項５】
前記支柱の側面には、高さ方向に略並行する方向に延びる誘導用の溝を備える、請求項１乃至請求項４のいずれかに記載の電子機器。
【請求項６】
前記支柱の側面は摩擦係数の大きな材質からなり、該摩擦係数の大きな側面が前記保持手段となる、請求項１乃至請求項５のいずれかに記載の電子機器。
【請求項７】
前記支柱は、その末端に拡張部を有し、
該拡張部と該拡張部を有する支柱とは前記保持手段を形成する、請求項１乃至請求項５のいずれかに記載の電子機器。
【請求項８】
前記支柱の側面には、前記コードが接続される側の面の中央部に形成された引き出し用の溝を備え、該引き出し用の溝が前記保持手段となる、請求項１乃至請求項５のいずれかに記載の電子機器。
【請求項９】
前記支柱は複数配列形成されており、各支柱は、前記平坦面と直交する方向に延びる外周面を有し、
隣り合う支柱の対向する外周面間に引き出し溝が形成され、該引き出し溝が前記保持手段となる、請求項１乃至請求項５のいずれかに記載の電子機器。
【請求項１０】
前記支柱に対して、前記コードの略太さで離間した位置に配置された固定用支柱を備え、
該固定用支柱と前記支柱とによって前記保持手段が形成される、請求項１乃至請求項５のいずれかに記載の電子機器。
【請求項１１】
前記支柱の末端と接続する蓋を備える、請求項１乃至請求項１０のいずれかに記載の電子機器。
【請求項１２】
前記蓋は突起部を備え、
前記支柱は、該突起部と係合する係合部を備え、
前記突起部と前記係合部を嵌合することにより前記蓋が固定される、請求項１１に記載の電子機器。
【請求項１３】
前記コードは、コンバータモジュールボックスが接続する電源コードであり、
前記支柱は複数であり、
前記複数の支柱は、前記コンバータモジュールボックスの外形形状よりも広い間隔で配置されている、請求項１乃至請求項１２のいずれかに記載の電子機器。
【請求項１４】
請求項１乃至請求項１３のいずれかに記載の電子機器において、
前記コードが前記支柱に螺旋状に巻かれ、前記保持手段により保持されている、コード取付構造。
【請求項１５】
請求項１乃至請求項１３のいずれかに記載の電子機器において、
前記コードを前記支柱に螺旋状に巻き付け、前記保持手段により保持する、コード取付方法。
【発明の詳細な説明】
【技術分野】
【０００１】
本発明は、床面や壁面に筐体を当接させながら配置して、使用する電子機器、特に、脱着可能なケーブルによって接続される電子機器、およびそのコード取付構造、コード取付方法に関する。
【背景技術】
【０００２】
現在、商用電源を受給して動作する各種の電化製品が存在する。これらの電化製品は、その使用用途に応じて設置に相応しい場所があり、当該相応しい場所に置かれることが望まれる。
【０００３】
ところが、当該設置場所と商用電源のコンセントとの位置関係が、電化製品の電源受給構造に一致しているとはかぎらない。このような問題を解決する構造として、特許文献１には、商用交流電力を装置に供給する電源ケーブルを、当該装置の底面から引き込む構造が記載されている。この構造では、電源ケーブルの引き込み方向を回転させる回転部材が設置されており、当該回転部材を回転させることで、電源ケーブルの引き出し方向を変えている。
【０００４】
また、電化製品によっては、相応しい場所に設置しつつ、且つ防水防塵対策を必要とするものもある。このような防水防塵対策構造の一例として、特許文献２には、装置の底面から所定の高さだけ離間した位置に、電源ケーブルの装着口を備える構造が記載されている。
【０００５】
また、特許文献３には、使用しない時にコードが邪魔にならないように、コードを弾性のコードリールに巻き付けて、当該コードリールをＡＣアダプタの本体に取り付ける機構が記載されている。
【先行技術文献】
【特許文献】
【０００６】
【特許文献１】特開平７−３３５３５４号公報
【特許文献２】特開２００４−３７０号公報
【特許文献３】特開２０１０−７３６０１号公報
【発明の概要】
【発明が解決しようとする課題】
【０００７】
これらの電化製品は、大きく分けて、ＡＣ電源ケーブルで交流電力を受給し、装置内で直流電力に変換するものと、ＡＣアダプタケーブルで交流電力を直流電力に変換した後に、受給するものとがある。
【０００８】
特許文献１に記載の装置のように、交流電力を直接装置に受給する方式では、ＡＣ−ＤＣコンバータを装置内に備えるため、筐体のコンパクト化を容易に行うことができない。一方、ＡＣアダプタケーブルを、特許文献１に記載の構造のように直接装置の底面に接続する構造を用いても、例えば、パブリックスペースの床面等に載置した場合に、装着部が水や埃に直接曝されることになり、電源受給部の防水性や防塵性に問題がある。
【０００９】
また、特許文献２に記載の構造を用いた場合、防水性や防塵性に問題はないが、筐体の側面に外部ケーブルの装着口があるため、当該装着口を備える筐体の側壁面を、設置位置の外部壁面に当接させることはできない。したがって、設置位置の制約を受けてしまう。
【００１０】
とくに、パブリックスペースに配置されるスピーカ装置等の場合、雨や埃の影響を受けやすくなるとともに、パブリックスペースを利用する人々の邪魔にならないものが望まれる。
【００１１】
また、特許文献３の構造では、コードリールがＡＣアダプタ本体のコンセントを内包するため、使用時にはコードリールをＡＣアダプタ本体から外さなければならない。この場合、コードリール自体の配置に場所をとってしまう。
【００１２】
そして、このようなコードとしては、電源コードに限ることでなく、ネットワークケーブルや、ＵＳＢケーブルも同様の問題を有する。
【００１３】
このように従来の構成では、電源コード等のコードが接続され、人の往来がある場所に設置される電子機器の場合、コードに人が接触（歩行中に足が引っかかる等）し、コードが抜けてしまったり、コードが接続されるジャック部分が破損してしまったりする可能性がある。
【００１４】
したがって、この発明の目的は、次の通りである。
【００１５】
設置場所の制約を受け難い電子機器を実現する。また、接続されたコードの抜けや断線、本体の破損を防止できる電子機器を実現する。
【００１６】
さらには、必要に応じて、電源受給部の防水性および防塵性に優れる電子機器を実現する。
【課題を解決するための手段】
【００１７】
この発明は、本体にコードが接続可能な電子機器に関するものであり、この電子機器は、本体の少なくとも一面に形成された平坦面と、平坦面に配置され本体に当接する支柱と、を備え、支柱は、コードの巻き状態を保持する保持手段を有することを特徴としている。
【００１８】
この構成では、本体の平坦な面に接続するコードが支柱に巻き付けられることにより、長さ調節された後に、外部へ引き出される。支柱に巻き付けられている最終的な引き出し方向を変化させることによって、コードの外部への引き出し方向が調整される。さらに、このコードの巻き状態が保持手段で保持されることで、電子機器を設置した後でも、所望の引き回し状態が維持される。また、巻き付け構造と保持手段とによって、例えば、人がコードに引っかかった時等、外部からコードが引っ張られることがあっても、コードの接続口に殆ど力が加わらない。したがって、コードの接続口の破損等を防止できる。
【００１９】
また、この発明の電子機器では、本体の少なくとも一面は、凸部と凹部を有する二段構造を有し、凹部は平坦面をなしている。
【００２０】
この構成では、本体の一面の凸部に接続するコードが、当該一面の凹部に引き出され、長さ調節された後に、外部へ引き出される。この際、支柱に巻き付けられている最終的な引き出し方向を変化させることによって、コードの外部への引き出し方向が調整される。さらに、このコードの巻き状態が保持手段で保持されることで、電子機器を設置した後でも、所望の引き回し状態が維持される。
【００２１】
また、この発明の電子機器では、支柱は、本体が立設する時に、本体のコードが接続される側の面が電子機器の載置面に対して略平行に保たれるように配置されている。
【００２２】
この構成では、例えばコードが接続される面が本体の底面である場合に、支柱によって本体を支持した状態で電子機器を立設しても、本体の水平性が失われない。
【００２３】
また、この発明の電子機器では、支柱は、凸部とともに、本体が立設する時に、本体のコードが接続される側の面が電子機器の載置面に対して略平行に保たれるように配置されている。
【００２４】
この構成では、例えばコードが接続される面が本体の底面である場合で、且つ、底面が凸部と凹部の二段構造になっている場合に、支柱によって本体を支持した状態で電子機器を立設しても、本体の水平性が失われない。
【００２５】
また、この発明の電子機器では、支柱の側面には、高さ方向に略並行する方向に延びる誘導用の溝を備える。
【００２６】
この構成では、誘導用の溝に沿ってコードが引き回されるので、コードを水平方向に沿って引き回しやすい。さらに、溝にコードが嵌ることで、コードが外れ難くなる。
【００２７】
また、この発明の電子機器では、支柱の側面は摩擦係数の大きな材質からなり、該摩擦係数の大きな側面が保持手段となる。
【００２８】
この構成では、保持手段の一例を示している。支柱の側面の摩擦係数が大きければ、コードが支柱から滑り難くなる。これにより、コードが支柱に巻き付いた状態が維持され、保持手段として機能する。そして、この構成では、支柱の表面の材質を換えるだけで、保持手段を実現できる。
【００２９】
また、この発明の電子機器では、支柱は、その末端に拡張部を有し、該拡張部と該拡張部を有する支柱とが保持手段を形成する。
【００３０】
この構成では、支柱に拡張部を設けることで、この拡張部を利用してコードの巻き付け状態を保持でき、コードの巻き付け態様をより多様化することができる。
【００３１】
また、この発明の電子機器では、支柱の側面には、コードが接続される側の面の中央部に形成された引き出し用の溝を備え、該引き出し用の溝が保持手段となる。
【００３２】
この構成では、引き出し用の溝は、誘導用の溝とは支柱の側面における異なる面に配置されるため、引き出し用の溝にコードをかければ、誘導用の溝と異なる方向にコードが引き回される。このため、例えば、コードは、引き出される直前の二つの支柱に対する当接面が逆転し、二つの支柱によるテンションを受けやすくなり、コードを保持できる。さらに、溝が設けられており、当該溝にコードがかかることにより、コードが把持されやすく、保持力がより向上する。
【００３３】
また、この発明の電子機器では、支柱は複数配列形成されており、各支柱は平坦面と直交する方向に延びる外周面を有し、隣り合う支柱の対向する外周面間に引き出し溝が形成され、該引き出し溝が保持手段となる。
【００３４】
この構成では、支柱間に引き出し溝が存在することで、引き出し溝を形成する位置に応じて、本体の平坦な面（例えば、底面）に一端が固定されたコードの引き出し方向を、所望の方向へ引き出すことができる。
【００３５】
また、この発明の電子機器では、支柱に対して、コードの略太さで離間した位置に配置された固定用支柱を備え、該固定用支柱と支柱とによって保持手段が形成される。
【００３６】
この構成では、支柱と固定用支柱との間にコードを通すことで、コードが支柱と固定用支柱とによって狭持される。これにより、引き回したコードが固定され、保持手段として機能する。そして、この構成では、固定用支柱を所定位置（支柱近傍）に追加するだけ、保持手段を実現できる。
【００３７】
また、この発明の電子機器では、支柱の末端と接続する蓋を備える。
【００３８】
この構成では、蓋を有することで、コードを巻き付けている領域が、電子機器の外部環境から保護される。
【００３９】
また、この発明の電子機器では、蓋は突起部を備え、支柱は該突起部と係合する係合部を備え、突起部と係合部を嵌合することにより蓋が固定される。
【００４０】
この構成では、嵌合によって蓋を支柱へ簡単に固定することができる。
【００４１】
また、この発明の電子機器では、コードは、コンバータモジュールボックスが接続する電源コードであり、支柱は複数であり、複数の支柱は、コンバータモジュールボックスの外形形状よりも広い間隔で配置されている。
【００４２】
この構成では、コンバータモジュールボックスが底面に収納できるので、電子機器本体の外部へはコードしか引き出されない。これにより、コンバータモジュールボックスに対して外力が加わることを防止でき、見栄えもよくなる。
【発明の効果】
【００４３】
この発明によれば、電子機器におけるコードの抜けや断線、本体の破損を防止することができる。
【図面の簡単な説明】
【００４４】
【図１】本発明の実施形態に係る電子機器１の正面図である。
【図２】本発明の実施形態に係る電子機器１の背面図である。
【図３】本発明の実施形態に係る電子機器１の左側面図である。
【図４】本発明の実施形態に係る電子機器１の天面図である。
【図５】本発明の実施形態に係る電子機器１の底面図である。
【図６】本実施形態に係る電子機器１にＡＣアダプタ４０を装着した状態を示す底面図である。
【図７】本実施形態の電子機器１の設置状態を示す図である。
【図８】異なる引き回し構造の電子機器１Ａの底面図である。
【図９】実施例１のコード引き回し用構造を示す図である。
【図１０】実施例１における電源用のコード４２の巻き付け態様を示す図である。
【図１１】実施例２のコード引き回し用構造を示す図である。
【図１２】実施例２における電源用のコード４２の巻き付け態様を示す図である。
【図１３】実施例３のコード引き回し用構造を示す図である。
【図１４】実施例４のコード引き回し用構造を示す図である。
【図１５】実施例５のコード引き回し用構造を示す図である。
【図１６】実施例５における電源用のコード４２の巻き付け態様を示す図である。
【図１７】実施例６のコード引き回し用構造を示す図である。
【図１８】実施例７のコード引き回し用構造を示す図である。
【図１９】実施例８のコード引き回し用構造を示す図である。
【図２０】実施例９のコード引き回し用構造を示す図である。
【図２１】実施例１０のコード引き回し用構造を示す図である。
【図２２】実施例１１のコード引き回し用構造を示す図である。
【図２３】実施例１２のコード引き回し用構造を示す図である。
【図２４】実施例１３のコード引き回し用構造を示す図である。
【図２５】実施例１４のコード引き回し用構造を示す図である。
【図２６】実施例１５のコード引き回し用構造を示す図である。
【図２７】実施例１６のコード引き回し用構造およびコードの巻き付け態様を示す図である。
【図２８】実施例１７のコード引き回し用構造を示す図である。
【発明を実施するための形態】
【００４５】
本発明の実施形態に係る電子機器について図を参照して説明する。なお、本実施形態では、具体的な電子機器の例として、パブリックスペースの床に設置される電子機器について説明する。
【００４６】
図１から図５は、本実施形態に係る電子機器１の五面図である。なお、右側面図は左側面図と基本的機構は同じであるので、図示を省略している。図１は本実施形態に係る電子機器１の正面図である。図２は本実施形態に係る電子機器１の背面図である。図３は本実施形態に係る電子機器１の左側面図である。図４は本実施形態に係る電子機器１の天面図である。図５は本実施形態に係る電子機器１の底面図である。
【００４７】
電子機器１は、筐体１０と支柱２０とを備える。筐体１０は、略直方体形状からなり、側面側の各角部がＲ面取りされた形状からなる。筐体１０には、図示しないが特定の機能を実現する電子回路や電気回路が備えられている。筐体１０の正面壁には、操作パネル８０が設置されている。
【００４８】
筐体１０の底面には、電源供給用のプラグ受け１１０が設置されている。
【００４９】
筐体１０の材質は、少なくとも電子機器１の外装として機能する材質であればよいが、設置場所等も加味して、外的環境の影響を受けにくい、すなわち、水や埃による影響を受けにくい材質であるとよい。例えば、所定の強度を有する絶縁性樹脂材料を用いるとよい。
【００５０】
筐体１０の底面には、支柱２０が配設されている。支柱２０は、筐体１０と略同じ平面面積からなる。支柱２０の高さは、ＡＣアダプタ４０の本体装着用プラグ４１の形状に基づいて高さが設定されている。より具体的には、本体装着用プラグ４１を筐体１０のプラグ受け１１０に装着した状態での本体装着用プラグ４１の鉛直方向の長さ（高さ）に所定マージン（数ミリ程度）を加えた高さに設定されている。
【００５１】
支柱２０には、空洞２０１が形成されている。空洞２０１は、プラグ受け１１０の設置位置を含むように形成されている。言い換えれば、支柱２０は、外周壁のみによって構成されている。支柱２０の外周壁には、引き出し溝２０２が形成されている。引き出し溝２０２は、例えば、図５に示すように、支柱２０（外周壁）の四角に形成されている。引き出し溝２０２の幅は、コード４２の幅程度である。
【００５２】
支柱２０の材質は、所定の強度を有するものであればよいが、筐体１０と同様に、設置場所等も加味して、外的環境の影響を受けにくい、すなわち、水や埃による影響を受けにくい材質であるとよい。例えば、絶縁性樹脂材料を用いるとよい。
【００５３】
図６は本実施形態に係る電子機器１にＡＣアダプタ４０を装着した状態を示す底面図である。図６（Ａ）と図６（Ｂ）ではコード４２に引き出し方向が異なる。
【００５４】
このような筐体１０および支柱２０からなる電子機器１に対して、ＡＣアダプタ４０のコード４２を引き回す際には、図６（Ａ）、図６（Ｂ）に示すように、筐体１０の底面のプラグ受け１１０に対して、ＡＣアダプタ４０の本体装着用プラグ４１を装着する。本体装着用プラグ４１およびコード４２は、所望とする引き出し溝２０２の方向へ引き回され、所望とする引き出し溝２０２から外部へ引き出される。例えば、コード４２を右前方に引き出す場合、図６（Ａ）に示すように、支柱２０の右前方角に形成された引き出し溝２０２を介して、コード４２を引き出す。また、コード４２を左後方に引き出す場合、図６（Ｂ）に示すように、支柱２０の左後方角に形成された引き出し溝２０２を介して、コード４２を引き出す。この際、引き出し溝２０２の幅がコード４２の幅と略同じであるので、コード４２は引き出し溝２０２によって半固定される。
【００５５】
図７は本実施形態の電子機器１の設置状態を示す図であり、図７（Ａ）は正面側から見た図であり、図７（Ｂ）は右側面側から見た図である。図７に示すように、本実施形態の電子機器１を用いれば、電子機器１を床面９００に載置し、電子機器１の背面を部屋の壁面９０１に当接させ、電子機器１の左側面を部屋の別の壁面９０２（壁面９０１に直交する壁面）に当接させた状態で、電子機器１へ電源供給することができる。これにより、電子機器１を設置するために、電子機器１と外部の壁面との間に間隔を設ける必要が無い。したがって、電子機器１の設置スペースを小さくすることができる。また、コード４２が電子機器１の外部で不要に引き回されないため、コードに人が引っかかることを抑制できる。さらに、この引っかかりによるコードの断線を抑制することができる。
【００５６】
また、上述の説明では、支柱２０内に大きな空洞２０１を形成し、当該空洞２０１内にコード４２を引き回す例を示したが、図８に示すような構造であってもよい。図８は異なる引き回し構造の電子機器１Ａの底面図である。電子機器１Ａの底面の支柱２０Ａは空洞２０１を備える。空洞２０１内には、内周壁２０Ｂが形成されている。内周壁２０Ｂは、支柱２０Ａ（外周壁）から所定距離離れた位置に、外周壁に沿うように平行に形成されている。これにより、支柱２０Ａの外周壁と内周壁２０Ｂとで囲まれる誘導溝２０３が環状に形成される。この際、誘導溝２０３の幅をコード４２の幅と略同じにするとよい。
【００５７】
支柱２０の外周壁の四角には、それぞれ引き出し溝２０２が形成されている。さらに、また、内周壁２０Ｂには、各角を結ぶ中間点付近に、それぞれ第２引き出し溝２０４が形成されている。
【００５８】
このような構成とすることで、筐体１０の底面のプラグ受け１１０に装着されたＡＣアダプタ４０の本体装着用プラグ４１から延びるコード４２を内周壁２０Ｂの内側から所定の第２引き出し溝２０４、誘導溝２０３、所定の引き出し溝２０２を介して、外部へ引き出すことができる。この際、利用する第２引き出し溝２０４、誘導溝２０３、所定の引き出し溝２０２を適宜選択することで、よりバリエーションの豊富な引き回しを実現することができる。
【００５９】
さらに、図８に示す右側面の外周壁に設けた引き出し溝２０５のように、外周壁の途中に引き出し溝２０５を設けてもよい。これにより、さらに引き回しのバリエーションを増やすことができる。
【００６０】
なお、図示していないが、正面側の外周壁にも引き出し溝を設けてもよく、右側面の側壁面もしくは左側面の外周面のいずれか一方にのみ引き出し溝を設けてもよい。
【００６１】
また、上述の説明では、電子機器に電源コードを接続する例を示したが、電源コードに限ることなく、ＬＡＮケーブルや、ＵＳＢケーブル等の各種のコードを接続する構成にも適用できる。
【００６２】
電子機器にコードを接続して配線する構成としては、さらに、次の各実施例の構成を選択的に用いることにより、設置位置を選ばず、コードの抜けや断線、本体の破損の防止をすることができる。これらの実施例の構成は、単独で用いることができるが、適宜組み合わせて用いることもできる。
【００６３】
なお、以下の各実施例では、本体の底面形状が略方形状の電子機器を例に説明するが、他の形状であってもよい。また、電源コードを接続する例を示すが、上述の実施形態と同様に、ＬＡＮケーブル等、電子機器に接続する他のコードを接続する場合であっても、以下に示すような構成を適用することができる。
【００６４】
実施例１
図９は、実施例１のコード引き回し用構造を示す図である。図９（Ａ）は底面図である。図９（Ｂ）は、図９（Ａ）における矢印Ｂの方向から見た第１側面図である。図９（Ｃ）は、図９（Ａ）における矢印Ｃの方向から見た第２側面図である。
【００６５】
電子機器の本体９０の底面には、プラグ受け１１０が形成されている。プラグ受け１１０は、底面の略中央に配置されている。底面には、支柱５０Ａ，５０Ｂ，５０Ｃ，５０Ｄが配置されている。支柱５０Ａ，５０Ｂ，５０Ｃ，５０Ｄは、所定の高さを有し、高さ方向に直交する面で切った断面形状が略円形である。なお、支柱５０Ａ，５０Ｂ，５０Ｃ，５０Ｄの断面形状はこれに限るものではなく、楕円や多角形であってもよい。支柱５０Ａ，５０Ｂ，５０Ｃ，５０Ｄの高さは同じである。
【００６６】
支柱５０Ａ，５０Ｂ，５０Ｃ，５０Ｄは、所定間隔をおいて配置されている。より具体的には、例えば、支柱５０Ａ，５０Ｂ，５０Ｃ，５０Ｄは、プラグ受け１１０から略等距離の位置に配置されている。支柱５０Ａ，５０Ｂ，５０Ｃ，５０Ｄは、底面の四隅近傍に配置されている。
【００６７】
支柱５０Ａ，５０Ｂ，５０Ｃ，５０Ｄには、後述するコード４２を巻きつけるための溝５０１が形成されている。溝５０１は、支柱５０Ａ，５０Ｂ，５０Ｃ，５０Ｄの高さ方向に沿って円周面（高さ方向に平行な面）を複数回凹凸させることにより形成される。溝５０１は、円周面に沿って一周分形成してもよいが、例えば１／２周だけ等のように部分的（図９参照）に形成しても良い。溝５０１は、支柱５０Ａ，５０Ｂ，５０Ｃ，５０Ｄにおける本体９０に当接する側とは反対の所定高さ範囲には形成されない。これにより、コード４２が溝５０１に巻きつけられても、コード４２が電子機器の設置面に直接接触することを防止できる。
【００６８】
支柱５０Ａ，５０Ｂ，５０Ｃ，５０Ｄには、さらに溝５０２が形成されている。溝５０２は、溝５０１とは逆の面側に形成されている。すなわち、溝５０１が円周面の第１半面に形成されていれば、溝５０２は当該第１半面とは反対側の第２半面に形成されている。溝５０２は、支柱５０Ａ，５０Ｂ，５０Ｃ，５０Ｄにおける上述の本体９０に当接する側と反対側の端部付近に形成されている。溝５０２の高さ方向の形成位置は、溝５０１の高さ方向の形成範囲内に完全に含まれない方がよい。溝５０２は、円周面を凹ませることにより形成される。この際、凹みは一つあれば十分機能する。これは、溝５０２は、コード４２を外方へ引き出すための位置決めを行うものであることによる。
【００６９】
なお、上述の各溝５０１，５０２は、断面が三角形のノコギリ波状になるように形成されているが、この形状に限るものではなく、断面が半円形や振動する波状（曲面を有する形状）で形成してもよい。
【００７０】
このような溝５０１，５０２がそれぞれに形成された支柱５０Ａ，５０Ｂ，５０Ｃ，５０Ｄは、溝５０１が本体９０の側面から外方を向き、溝５０２が本体９０の底面の中心方向を向くように配置される。
【００７１】
図１０は、実施例１における電源用のコード４２の巻き付け態様を示す図である。図１０（Ａ）は底面図である。図１０（Ｂ）は、図１０（Ａ）における矢印Ｂの方向から見た第１側面図である。
【００７２】
コード４２の一方端に接続された装着用プラグ４１は、本体９０のプラグ受け１１０に装着される。装着用プラグ４１から延びるコード４２は、支柱５０Ｃに向かって引き回される。コード４２は、支柱５０Ｃの溝５０１に沿って巻かれ、支柱５０Ｄ方向に引き回される。コード４２は、支柱５０Ｄの溝５０１に沿って巻かれ、支柱５０Ａ方向に引き回される。コード４２は、支柱５０Ａの溝５０１に沿って巻かれ、支柱５０Ｂ方向へ引き回される。このように、コード４２は、四本の支柱５０Ｃ，５０Ｄ，５０Ａ，５０Ｂによって、本体９０の側面に沿うように巻き付けられる。このような巻き付け処理は、必要な引き回し長さおよび引き出そうとする方向に至るまで引き続き行われる。この引き回し処理は、各支柱５０Ａ，５０Ｂ，５０Ｃ，５０Ｄの溝５０１における本体９０側からコード４２が巻くようにする。
【００７３】
そして、図１０に示すように、コード４２が支柱５０Ｄから支柱５０Ａに引き回された時に、支柱５０Ａに対して、本体９０の中央側（プラグ受け１１０側）からコード４２を溝５０２に沿って巻くことで、本体９０の側面外方へコード４２を引き出すことができる。
【００７４】
このような構成により、必要なコード４２の長さを外部へ引き出すことができる。これにより、コード４２が必要以上の長さで引き出されることなく、不要に長いコードに人が引っかかったりすることを防止できる。また、見た目のきれいな配線を行うことができる。
【００７５】
また、外部へ引き出す際に最後に巻く支柱５０Ａ，５０Ｂ，５０Ｃ，５０Ｄを適宜選択することで、所望の方向へ引き出すことができる。例えば、図１０のような巻き方であれば、（Ａ）最後に支柱５０Ａの溝５０２を通すことで、本体９０における紙面の左方向へコード４２を引き出すことができる。（Ｂ）最後に支柱５０Ｂの溝５０２を通すことで、本体９０における紙面の下方向へコード４２を引き出すことができる。（Ｃ）最後に支柱５０Ｃの溝５０２を通すことで、本体９０における紙面の右方向へコード４２を引き出すことができる。（Ｄ）最後に支柱５０Ｄの溝５０２を通すことで、本体９０における紙面の上方向へコード４２を引き出すことができる。これにより、設置場所に応じて、適切な方向へコードを引き出すことができる。
【００７６】
そして、上述の構成とすることで、コード４２が複数の支柱５０Ａ，５０Ｂ，５０Ｃ，５０Ｄを巻いて複数回屈曲して、最後に溝５０２に巻き付けられて外部へ引き出される。これにより、外部に引き回したコード４２に人が引っかかって、コード４２が引っ張られたとしても、この引っ張りによる力は支柱５０Ａ，５０Ｂ，５０Ｃ，５０Ｄに作用するため、装着用プラグ４１がプラグ受け１１０から抜けることがない。また、コード４２と装着用プラグ４１との間に、引っ張りによる力が殆ど係らないので、断線が生じる可能性も殆どない。そして、この引っ張りに伴う、装着用プラグ４１およびプラグ受け１１０の破損も防止できる。さらに、コード４２も溝に沿って所定の曲率をもって曲げられているので、コード４２の断線も殆ど生じない。
【００７７】
なお、図１０はコードの巻き付け態様の一例を示すものであり、コードを巻き付ける支柱の順番は、これに限るものではない。巻き付け方向も、図１０に示すように、底面上を反時計回りに巻くことに限らず、時計回りに巻いてもよい。また、所謂８の字状に巻いてもよい。また、配置した全ての支柱へ均等の回数でコード４２を巻き付ける必要はない。また、巻き付けない支柱があってもよい。
【００７８】
また、支柱５０Ａ，５０Ｂ，５０Ｃ，５０Ｄそのものやこれらの表面を摩擦係数の高い材質で形成するとよい。これにより、コード４２の巻き付け状態がより安定し、緩み難くなるため、上述の効果に対して好適である。また、摩擦係数の高い材質にすることで、溝５０１，５０２を省略することもできる。
【００７９】
また、上述の説明では、ＡＣ−ＤＣコンバータボックス等の立体形のモジュールがコード４２の中間に接続されていない場合を一例に示したが、このような立体形のモジュールがコード４２の中間に接続されている場合、支柱５０Ａ，５０Ｂ，５０Ｃ，５０Ｄの高さを、立体形モジュールの最大寸法以上に設定する。そして、立体形モジュールを支柱５０Ａ，５０Ｂ，５０Ｃ，５０Ｄによって囲まれる領域内に配置する。これにより、立体形モジュールが本体９０の外へはみ出すことなく、見栄えのよい引き回しが可能になる。また、溝５０１，５０２は、全ての支柱に形成されていてもよいが、少なくとも１個の支柱に形成されていればよい。
【００８０】
実施例２
図１１は、実施例２のコード引き回し用構造を示す図である。図１１（Ａ）は底面図である。図１１（Ｂ）は、図１１（Ａ）における矢印Ｂの方向から見た第１側面図である。図１１（Ｃ）は、図１１（Ａ）における矢印Ｃの方向から見た第２側面図である。
【００８１】
本実施例２の構成は、上述の実施例１に対して本体９０Ａの底面形状が異なるものである。したがって、この形状の違いにより、支柱５０Ａ，５０Ｂ，５０Ｃ，５０Ｄの設置位置も異なる。その他の構成において、具体的な構造が実施例１と同じ箇所は説明を省略する。
【００８２】
電子機器の本体９０Ａの底面には、段差があり、凸部９１Ａと凹部９２Ａとによる二つの平面を備える。凸部９１Ａの凹部９２Ａ側の壁面には、プラグ受け１１０が形成されている。
【００８３】
底面の凹部９２Ａには、支柱５０Ａ，５０Ｂ，５０Ｃ，５０Ｄが配置されている。支柱５０Ａ，５０Ｂ，５０Ｃ，５０Ｄは、凸部９１Ａと同じ高さを有する。支柱５０Ａ，５０Ｂ，５０Ｃ，５０Ｄは、所定間隔をおいて配置されている。具体的には、凹部９２Ａの四隅に配置されている。支柱５０Ａ，５０Ｂ，５０Ｃ，５０Ｄには、実施例１と同様に、溝５０１，５０２が形成されている。
【００８４】
このような溝５０１，５０２がそれぞれに形成された支柱５０Ａ，５０Ｂ，５０Ｃ，５０Ｄは、溝５０１が凹部９２Ａから外方を向き、溝５０２が凹部９２Ａの中心方向を向くように配置される。
【００８５】
図１２は、実施例２における電源用のコード４２の巻き付け態様を示す図である。図１２（Ａ）は底面図である。図１２（Ｂ）は、図１２（Ａ）における矢印Ｂの方向から見た第１側面図である。
【００８６】
図１２に示すように、コード４２の一方端に接続された装着用プラグ４１は、本体９０Ａの凸部９１Ａの側壁に配置されたプラグ受け１１０に装着される。装着用プラグ４１から延びるコード４２は、支柱５０Ｄ，５０Ａ，５０Ｂ，５０Ｃの順に引き回されて、巻き付けられる。
【００８７】
そして、図１２に示すように、コード４２が支柱５０Ｄから支柱５０Ａに引き回された時に、支柱５０Ａに対して、本体９０Ａの中央側（プラグ受け１１０側）からコード４２を溝５０２に沿って巻くことで、本体９０Ａの側面外方へコード４２を引き出すことができる。
【００８８】
このような構成であっても、上述の実施例１と同じ作用効果を得ることができる。
【００８９】
また、凸部９１Ａを備えることにより、本体９０Ａの内部空間を広げることができ、より多くの回路部品を本体に内蔵することができる。
【００９０】
実施例３
図１３は、実施例３のコード引き回し用構造を示す図である。図１３（Ａ）は底面図である。図１３（Ｂ）は、図１３（Ａ）における矢印Ｂの方向から見た第１側面図である。図１３（Ｃ）は、図１３（Ａ）における矢印Ｃの方向から見た第２側面図である。
【００９１】
本実施例３の構成は、上述の実施例２に対して支柱の設置数が異なる（減少した）ものである。その他の構成において、具体的な構造が実施例２と同じ箇所は説明を省略する。
【００９２】
底面の凹部９２Ａには、支柱５０Ａ，５０Ｂが配置されている。支柱５０Ａ，５０Ｂは、凸部９１Ａと同じ高さを有する。支柱５０Ａ，５０Ｂは、所定間隔をおいて配置されている。具体的には、凹部９２Ａにおける凸部９１Ａと反対側になる側面に沿った両端に配置されている。支柱５０Ａ，５０Ｂには、実施例１と同様に、溝５０１，５０２が形成されている。
【００９３】
このような溝５０１，５０２がそれぞれに形成された支柱５０Ａ，５０Ｂは、溝５０１が凹部９２Ａから外方を向き、溝５０２が凹部９２Ａの中心方向を向くように配置される。
【００９４】
このような構成では、コード４２は、支柱５０Ａ，５０Ｂを往復するように巻き付けられる。
【００９５】
このような構成であっても、上述の各実施例と同様の作用効果を得ることができる。
【００９６】
また、実施例２に対して支柱数が減少することで、部品数を少なくすることができる。
【００９７】
実施例４
図１４は、実施例４のコード引き回し用構造を示す図である。図１４（Ａ）は底面図である。図１４（Ｂ）は、図１４（Ａ）における矢印Ｂの方向から見た第１側面図である。図１４（Ｃ）は、図１４（Ａ）における矢印Ｃの方向から見た第２側面図である。
【００９８】
本実施例４の構成は、上述の実施例３に対して支柱の設置数が異なる（増加した）ものである。また、凸部が狭く、凹部が広い構造となっている。その他の構成において、具体的な構造が実施例２と同じ箇所は説明を省略する。
【００９９】
底面の凹部９２Ｂには、支柱５０Ａ，５０Ｂ，５０Ｃ，５０Ｄ，５０Ｅ，５０Ｆ，５０Ｇが配置されている。支柱５０Ａ，５０Ｂ，５０Ｃ，５０Ｄ，５０Ｅ，５０Ｆ，５０Ｇは、凸部９１Ｂと同じ高さを有する。支柱５０Ａ，５０Ｂ，５０Ｃ，５０Ｄ，５０Ｅ，５０Ｆ，５０Ｇは、所定間隔をおいて配置されている。具体的には、支柱５０Ａ，５０Ｂ，５０Ｃ，５０Ｄは、第２実施例と同様に凹部９２Ｂの四隅に配置されている。支柱５０Ｅは、支柱５０Ａの配置位置と支柱５０Ｂの配置位置の中間に配置されている。支柱５０Ｆは、支柱５０Ｂの配置位置と支柱５０Ｃの配置位置の中間に配置されている。支柱５０Ｇは、支柱５０Ｄの配置位置と支柱５０Ａの配置位置の中間に配置されている。
【０１００】
支柱５０Ａ，５０Ｂ，５０Ｃ，５０Ｄには、上述の各実施例と同様に、溝５０１，５０２が形成されている。このような溝５０１，５０２がそれぞれに形成された支柱５０Ａ，５０Ｂ，５０Ｃ，５０Ｄは、溝５０１が凹部９２Ｂから外方を向き、溝５０２が凹部９２Ｂの中心方向を向くように配置される。
【０１０１】
支柱５０Ｅ，５０Ｆ，５０Ｇには、円周面に溝５０３が形成されている。このように、円周面に沿って全周に亘るように、溝５０３を形成することで、溝５０３は、他の支柱の溝５０１と同じ機能を実現できるとともに、他の支柱の溝５０２と同じ機能も実現できる。
【０１０２】
本実施形態に示すように、支柱数を増加させれば、コード４２の巻き方を、より多様化することができる。
【０１０３】
また、支柱５０Ａ，５０Ｂ，５０Ｃ，５０Ｄの中間、すなわち凹部９２Ｂの側辺の中間に支柱５０Ｅ，５０Ｆ，５０Ｇが設けられることで、側辺に沿ったコード４２の引き出し位置を、より多様化することができる。
【０１０４】
このような構成により、必要な長さのコード４２を外部へ引き出すことができる。この際、より細かく長さの調整を行うことができる。また、所望の方向へコード４２を引き出すことができる。この際、より細かくコード４２の引き出し位置を決めることができる。そして、コード４２の断線、装着用プラグ４１、プラグ受け１１０の破損も防止できる。なお、このように支柱を多く設置する場合には、必要な支柱を選択して、コードの引き回しに利用してもよい。
【０１０５】
実施例５
図１５は、実施例５のコード引き回し用構造を示す図である。図１５（Ａ）は底面図である。図１５（Ｂ）は、図１５（Ａ）における矢印Ｂの方向から見た第１側面図である。図１５（Ｃ）は、図１５（Ａ）における矢印Ｃの方向から見た第２側面図である。
【０１０６】
本実施例５の構成は、上述の実施例１に対して、さらに引き出し方向を固定する固定用支柱５１を追加したものである。その他の構成において、具体的な構造が実施例１と同じ箇所は説明を省略する。
【０１０７】
支柱５０Ａ’，５０Ｂ’，５０Ｃ’，５０Ｄ’には、溝５０１が形成されているが、溝５０２は形成されていない。
【０１０８】
固定用支柱５１は、支柱５０Ａ’に対して間隔Ｇをもって配置されている。固定用支柱５１の高さは、支柱５０Ａ’と同じかもしくは短い。支柱５０Ａと固定用支柱５１との間隔Ｇは、コード４２の太さと略同じである。より具体的には、間隔Ｇは、コード４２の太さに対して、成形誤差の範囲内で短い。
【０１０９】
図１６は、実施例５における電源用のコード４２の巻き付け態様を示す図である。図１６（Ａ）は底面図である。図１６（Ｂ）は、図１６（Ａ）における矢印Ｂの方向から見た第１側面図である。
【０１１０】
図１６に示すように、コード４２を外方へ引き出す際に、支柱５０Ａ’と固定用支柱５１との間を通せば、コード４２が支柱５０Ａ’と固定用支柱５１に挟まれて固定される。これにより、コード４２の巻きの緩みを防止できる。
【０１１１】
なお、図１５、図１６では、支柱５０Ａ’の近傍にのみ固定用支柱５１を配置する例を示したが、他の支柱５０Ｂ’，５０Ｃ’，５０Ｄ’のいずれかもしくは全部の近傍に固定用支柱５１を配置してもよい。また、支柱５０Ａ’に対して本体９０の側面に沿って間隔Ｇで固定用支柱５１を配置する例を示したが、支柱５０Ａ’に対して本体９０の底面の中央側に配置してもよい。
【０１１２】
このような構成であっても、上述の各実施例と同様の作用効果を得ることができる。
【０１１３】
なお、このような固定用支柱５１を備える構成を、上述の実施例３の構造に適用することもできる。
【０１１４】
実施例６
図１７は、実施例６のコード引き回し用構造を示す図である。図１７（Ａ）は底面図である。図１７（Ｂ）は、図１７（Ａ）における矢印Ｂの方向から見た第１側面図である。図１７（Ｃ）は、図１７（Ａ）における矢印Ｃの方向から見た第２側面図である。
【０１１５】
本実施例６の構成は、上述の実施例２で用いた円柱状の支柱を用いずに、壁（板状の支柱）を用いたものである。その他の構成において、具体的な構造が実施例２と同じ箇所は説明を省略する。
【０１１６】
底面の凹部９２Ｂには、壁５２Ａ，５２Ｂ，５２Ｃが配置されている。壁５２Ａ，５２Ｂ，５２Ｃは、凸部９１Ｂと同じ高さに形成されている。壁５２Ａ，５２Ｂ，５２Ｃは、所定幅で形成されている。
【０１１７】
壁５２Ａは、凸部９１Ｂの側壁に沿って延びる形状で形成されている。壁５２Ａは、凹部９２Ｂにおける凸部９１Ｂと反対側の側辺付近に形成されている。側辺と壁５２Ａの壁面との距離はコード４２の太さ程度である。
【０１１８】
壁５２Ｂ、５２Ｃは、凸部９１Ｂの側壁に対して直交する方向に沿って延びる形状で形成されている。壁５２Ｂ，５２Ｃは、凹部９２Ｂの対向する側辺にそれぞれ沿うように形成されている。各側辺と壁５２Ｂ，５２Ｃの壁面との距離もそれぞれコード４２の太さ程度である。
【０１１９】
このような構成では、壁５２Ａ，５２Ｂ，５２Ｃの側壁面に沿って、コード４２を巻き付ける。そして、いずれかの壁５２Ａ，５２Ｂ，５２Ｃの角部から外部へ引き回すことによって、コード４２を本外９０の外方へ引き出すことができる。
【０１２０】
なお、各壁５２Ａ，５２Ｂ，５２Ｃの壁面に、支柱同様に溝を設けたり、摩擦係数の高い材質を用いたりすると、より好適である。
【０１２１】
このように、支柱を用いず、壁を用いても、コード４２を適切に引き回すことができる。これにより、上述の各実施例と同様に、必要な長さのコード４２を外部へ引き出すことができる。また、所望の方向へコード４２を引き出すことができる。そして、コード４２の断線、装着用プラグ４１、プラグ受け１１０の破損も防止できる。
【０１２２】
なお、本実施例では、底面に凹部と凸部がある場合を例に説明したが、実施例１のように凸部がない形状に対しても、本実施例のように壁を用いることができる。
【０１２３】
実施例７
図１８は、実施例７のコード引き回し用構造を示す図である。図１８（Ａ）は底面図である。図１８（Ｂ）は、図１８（Ａ）における矢印Ｂの方向から見た第１側面図である。図１８（Ｃ）は、図１８（Ａ）における矢印Ｃの方向から見た第２側面図である。
【０１２４】
本実施例７の構成は、上述の実施例６で用いた壁に切り欠きを追加したものである。その他の構成において、具体的な構造が実施例２と同じ箇所は説明を省略する。
【０１２５】
壁５２Ａ，５２Ｂ，５２Ｃの長さ方向（延びるように形成された方向）の中間には、切り欠き５２０が形成されている。
【０１２６】
このような切り欠き５２０を形成することで、当該切り欠き５２０にコード４２を通すことができる。これにより、コード４２の引き回しを多様化することができる。また、この切り欠き５２０を引き出し溝として利用することもできる。
【０１２７】
なお、本実施例では、壁毎に一つずつ切り欠きを形成する例を示したが、切り欠きを形成する壁と切り欠きを形成しない壁を配置してもよい。また、壁に複数の切り欠きを設けてもよい。さらには、壁に切り欠き用の薄厚部を複数設けておき、所望とする引き回しを実現するために、ユーザが薄厚部を除去して切り欠きを形成するようにしてもよい。
【０１２８】
実施例８
図１９は、実施例８のコード引き回し用構造を示す図である。図１９（Ａ）は底面図である。図１９（Ｂ）は、図１９（Ａ）における矢印Ｂの方向から見た第１側面図である。図１９（Ｃ）は、図１９（Ａ）における矢印Ｃの方向から見た第２側面図である。
【０１２９】
本実施例８の構成は、上述の実施例６の構成に対して、支柱を追加したものである。すなわち、壁と支柱を組み合わせたものである。その他の構成において、具体的な構造が実施例６と同じ箇所は説明を省略する。
【０１３０】
壁５２Ａの一方端と、壁５２Ｂの一方端（凸部９１Ｂと反対側の端部）とが近接する本体９０Ｂの角部には、支柱５３（固定用支柱に相当する。）が配置されている。壁５２Ａの他方端と、壁５２Ｃの一方端（凸部９１Ｂと反対側の端部）とが近接する本体９０Ｂの角部にも、支柱５３が配置されている。各支柱５３は、壁５２Ａ，５２Ｂ，５２Ｃと同じ高さである。各支柱５３は、上述のように溝があってもよく、摩擦係数が高ければ溝がなくてもよい。
【０１３１】
実施例９
図２０は、実施例９のコード引き回し用構造を示す図である。図２０（Ａ）は底面図である。図２０（Ｂ）は、図２０（Ａ）における矢印Ｂの方向から見た第１側面図である。図２０（Ｃ）は、図２０（Ａ）における矢印Ｃの方向から見た第２側面図である。
【０１３２】
本実施例９の構成は、上述の実施例８と同様に、実施例６の構成に対して、支柱を追加したものである。すなわち、壁と支柱を組み合わせたものである。その他の構成において、具体的な構造が実施例６と同じ箇所は説明を省略する。
【０１３３】
壁５２Ａの一方端と、壁５２Ｂの一方端（凸部９１Ｂと反対側の端部）とが近接する位置における、壁５２Ａ，５２Ｂに対して本体９０Ｂの底面の中央側には、支柱５３Ｂが配置されている。壁５２Ａの他方端と、壁５２Ｃの一方端（凸部９１Ｂと反対側の端部）とが近接する位置における、壁５２Ａ，５２Ｂに対して本体９０Ｂの底面の中央側には、支柱５３Ａが配置されている。壁５２Ｂの他方端付近における壁５２Ｂに対して本体９０Ｂの底面の中央側にも、支柱５３Ｃが配置されている。壁５２Ｃの他方端付近における壁５２Ｃに対して本体９０Ｂの底面の中央側にも、支柱５３Ｄが配置されている。すなわち、壁５２Ａ，５２Ｂ，５２Ｃによって囲まれる領域内に、複数の支柱５３（５３Ａ−５３Ｄ）が配置されている。各支柱５３（５３Ａ−５３Ｄ）は、壁５２Ａ，５２Ｂ，５２Ｃと同じ高さである。各支柱５３（５３Ａ−５３Ｄ）は、上述のように溝があってもよく、摩擦係数が高ければ溝がなくてもよい。
【０１３４】
実施例１０
図２１は、実施例１０のコード引き回し用構造を示す図である。図２１（Ａ）は底面図である。図２１（Ｂ）は、図２１（Ａ）における矢印Ｂの方向から見た第１側面図である。図２１（Ｃ）は、図２１（Ａ）における矢印Ｃの方向から見た第２側面図である。
【０１３５】
本実施例１０の構成は、上述の実施例８、実施例９と同様に、実施例６の構成に対して、支柱を追加したものである。すなわち、壁と支柱を組み合わせたものである。その他の構成において、具体的な構造が実施例６と同じ箇所は説明を省略する。
【０１３６】
複数の支柱５３（固定用支柱に相当する。）は、壁５２Ａ，５２Ｂ，５３Ｂの外面側（本体９０Ｂから外方を向く側）の壁面に沿って、所定の間隔で配列して配置されている。この間隔は、コード４２の太さ程度であることが好ましい。各支柱５３は、壁５２Ａ，５２Ｂ，５２Ｃと同じ高さである。各支柱５３は、上述のように溝があってもよく、摩擦係数が高ければ溝がなくてもよい。
【０１３７】
これら実施例８，９，１０のように壁と支柱を組み合わせることで、コード４２の引き回しを、さらに多様化することができる。さらに、図２１に示すように、壁５２Ａ，５２Ｂ，５２Ｃの外面側に支柱５３を配列することで、隣り合う各支柱の間であれば、どの場所であっても、外方へコード４２を引き出すことができる。これにより、所望の引き出し方向に適用するように、引き出し方向をより詳細に決定することができる。
【０１３８】
実施例１１
図２２は、実施例１１のコード引き回し用構造を示す図である。図２２（Ａ）は底面図である。図２２（Ｂ）は、図２２（Ａ）における矢印Ｂの方向から見た第１側面図である。図２２（Ｃ）は、図２２（Ａ）における矢印Ｃの方向から見た第２側面図である。
【０１３９】
本実施例１１の構成は、上述の実施例２の構成に対して、凹部９２Ａの略中央に、ＡＣ−ＤＣコンバータボックス等の立体形のモジュールを狭持する固定壁５４Ａ，５４Ｂ，５４Ｃを配置したものである。その他の構成において、具体的な構造が実施例２と同じ箇所は説明を省略する。
【０１４０】
固定壁５４Ａ，５４Ｂ，５４Ｃは、立体形のモジュールを配置する領域６０を囲むように、形成されている。
【０１４１】
この構成では、コード４２の引き回しは、上述の実施例２と同様に、支柱５０Ａ，５０Ｂ，５０Ｃ，５０Ｄによって実現される。
【０１４２】
さらに、この構成では、立体形のモジュールを領域６０内に装着すると、立体形のモジュールが三方から固定壁５４Ａ，５４Ｂ，５４Ｃによって狭持される。これにより、立体形のモジュールは、領域６０が外れることなく、本体９０Ａの底面に装着される。この結果、本体を移動させても、立体形のモジュールも一緒に移動するため、移動後も見栄えのよい配線を、容易に維持することができる。
【０１４３】
実施例１２
図２３は、実施例１２のコード引き回し用構造を示す図である。図２３（Ａ）は底面図である。図２３（Ｂ）は、図２３（Ａ）における矢印Ｂの方向から見た第１側面図である。図２３（Ｃ）は、図２３（Ａ）における矢印Ｃの方向から見た第２側面図である。
【０１４４】
本実施例１２の構成は、上述の実施例２の構成に対して、支柱が一本であり、当該支柱の太さを大幅に太くしたものである。その他の構成において、具体的な構造が実施例２と同じ箇所は説明を省略する。
【０１４５】
支柱５５は、凹部９２Ａを略埋める形状で形成されている。言い換えれば、凹部９２Ａの外周近傍をコード４２の太さで残す程度の断面積で形成されている。支柱５５は、凸部９１Ａと同じ高さである。支柱５５の四隅には、実施例２の支柱の溝５０１と同様な形状の溝５０４が形成されている。なお、この溝５０４も、支柱５５の側面が摩擦係数の高い材質で形成されていれば、省略することもできる。このような支柱５５の外周面に巻き付けるようにコード４２を引き回す。
【０１４６】
このように支柱が一本であっても、当該支柱の形状を適宜設定すれば、上述の各実施形態と同様の作用効果を得ることができる。
【０１４７】
実施例１３
図２４は、実施例１３のコード引き回し用構造を示す図である。図２４（Ａ）は底面図である。図２４（Ｂ）は、図２４（Ａ）における矢印Ｂの方向から見た第１側面図である。図２４（Ｃ）は、図２４（Ａ）における矢印Ｃの方向から見た第２側面図である。
【０１４８】
本実施例１３の構成は、上述の実施例１２の構成に対して、支柱に複数の溝が設けられたものである。その他の構成において、具体的な構造が実施例１２と同じ箇所は説明を省略する。
【０１４９】
支柱５６の外径形状は、実施例１２の支柱５５と同じである。支柱５６には、溝５６１，５６２，５６３，５６４，５６５，５６６，５６７，５６８，５６９が形成されている。溝５６１−５６９は、凹部９２Ａの表面まで達する深さで形成されている。溝５６１−５６９の幅は、コード４２の太さに略一致する。溝５６１−５６６は、凸部９１Ａの凹部９２Ａ側の側面壁に直交する方向に沿って延びるように形成されている。溝５６１−５６６は、凸部９１Ａの凹部９２Ａ側の側面壁に平行な方向に沿って所定間隔で形成されている。溝５６７，５６８，５６９は、凸部９１Ａの凹部９２Ａ側の側面壁に平行な方向に沿って延びるように形成されている。溝５６７，５６８，５６９は、凸部９１Ａの凹部９２Ａ側の側面壁に直交する方向に沿って所定間隔で形成されている。
【０１５０】
この支柱５６の外周面および、溝５６１−５６９に沿うようにコード４２を引き回す。この際、溝５６１−５６９の全てを利用する必要はなく、必要な溝のみにコード４２を引き回せばよい。
【０１５１】
このような構成でも、上述の各実施例と同様の作用効果が得られる。さらに、この構成では、コード４２を引き出す直前に利用する溝を決めることで、コード４２の引き出し位置を、溝の形成間隔に応じて細かく決定することができる。
【０１５２】
実施例１４
上述の各実施例では、各種形状の支柱のみでコード４２の引き出しを行う場合を示したが、コード４２が引き回されている領域を覆う蓋を設けるようにしてもよい。
【０１５３】
図２５は、実施例１４のコード引き回し用構造を示す図である。図２５（Ａ）は底面図である。図２５（Ｂ）は、図２５（Ａ）における矢印Ｂの方向から見た第１側面図である。図２５（Ｃ）は、図２５（Ｂ）と同じ方向から見た第１側面断面図である。図２５（Ｄ）は、図２５（Ａ）における矢印Ｃの方向から見た第２側面図である。図２５（Ｅ）は、図２５（Ｄ）と同じ方向から見た第２側面断面図である。
【０１５４】
本実施例１４の構成は、実施例２の構成に対して、蓋７０を設けたものである。その他の構成において、具体的な構造が実施例２と同じ箇所は説明を省略する。
【０１５５】
蓋７０は、所定厚みの主平板と側板とからなる。主平板は、凹部９２Ａを平面視（底面に向かって見た）した形状と同じ形状からなる。側板は、主平板における凸部９１Ａ側となる側辺にのみ形成されず、他の側辺には形成されている。側板は主平板に対して直交する方向に延びる形状で形成されており、凸部９１Ａと凹部９２Ａとの高さの差と同じ長さに形成されている。なお、側板には、薄膜部からなるスリットが適宜形成されており、当該薄厚部を貫通することで、コード４２の引き出し用の穴を形成することができる。
【０１５６】
支柱５０Ａ”，５０Ｂ”，５０Ｃ”，５０Ｄ”は、支柱５０Ａ，５０Ｂ，５０Ｃ，５０Ｄに対して、蓋７０の厚み分だけ高さが低く形成されている。支柱５０Ａ”，５０Ｂ”，５０Ｃ”，５０Ｄ”には、支柱５０Ａ，５０Ｂ，５０Ｃ，５０Ｄに設けた溝５０１，５０２を形成してもよいし、形成しなくてもよい。図２５の場合は、溝５０１，５０２を形成していない。
【０１５７】
このような構成において、蓋７０が凹部９２Ａを覆うようにして、当該蓋７０を支柱５０Ａ”，５０Ｂ”，５０Ｃ”，５０Ｄ”上に載置する。この状態で、蓋７０と支柱５０Ａ”，５０Ｂ”，５０Ｃ”，５０Ｄ”とを固定する。固定方法としては、蓋７０と支柱５０Ａ”，５０Ｂ”，５０Ｃ”，５０Ｄ”との当接面に接着部材を配置、塗布して固定してもよい。また、当該蓋７０を支柱５０Ａ”，５０Ｂ”，５０Ｃ”，５０Ｄ”上に載置した状態で、ネジや釘等によって固定してもよい。
【０１５８】
このような構成とすることで、上述の各実施例と同様の作用効果が得られるとともに、支柱５０Ａ”，５０Ｂ”，５０Ｃ”，５０Ｄ”によって引き回されたコード４２が、蓋７０と凹部９２Ａの表面と凸部９１Ａの側面による閉空間内に保護される。これにより、外部環境の影響を受け難くすることができる。すなわち、防水性および防塵性を向上することができる。なお、側板は省略することもできる。
【０１５９】
実施例１５
図２６は、実施例１５のコード引き回し用構造を示す図である。図２６（Ａ）は底面図である。図２６（Ｂ）は、図２６（Ａ）における矢印Ｂの方向から見た第１側面図である。図２６（Ｃ）は、図２６（Ａ）における矢印Ｃの方向から見た第２側面図である。図２６（Ｄ）は、蓋７１の装着方法を説明するための第１側面図である。
【０１６０】
本実施例１５の構成は、実施例３の構成に対して、蓋７１を設けたものである。その他の構成において、具体的な構造が実施例３と同じ箇所は説明を省略する。
【０１６１】
凸部９１Ａ’には、凹部９２Ａ側の側面から所定長さ凹み、且つ表面（底面）から蓋７１の厚さ分凹む形状の配置用溝９５が形成されている。
【０１６２】
蓋７１は、所定厚みの主平板を備える。主平板は、凹部９２Ａ’を平面視（底面に向かって見た）した形状に対して所定面積だけ大きな形状からなる。この際、面積の広がる部分は、配置用溝９５の面積に一致する。
【０１６３】
蓋７１の主平板の一方面には、挿嵌係合用の突起部７１１が形成されている。突起部７１１は、所定径の円柱部と、当該円柱部の先端に設けられた半球部とからなる。半球部の形は、円柱部の形よりも大きい。
【０１６４】
支柱５６Ａ，５６Ｂは、支柱５０Ａ，５０Ｂに対して、蓋７１の厚み分だけ高さが低く形成されている。支柱５６Ａ，５６Ｂには、挿嵌係合用の孔５６０が形成されている。孔５６０は、所定内径の円筒部と、当該円筒部の最深部に設けられた半球空洞部とからなる。円筒部の径は、半球空洞部の径よりも小さい。支柱５６Ａ，５６Ｂには、上述の支柱５０Ａ，５０Ｂ，５０Ｃ，５０Ｄに設けた溝５０１，５０２を形成してもよいし、形成しなくてもよい。図２６の場合は、溝５０１，５０２を形成していない。
【０１６５】
このような構成では、蓋７１の各突起部７１１を、支柱５６Ａ，５６Ｂの孔５６０に係合するように配置する。これにより、蓋７１は、凹部９２Ａ’の全体を覆った状態で、支柱５６Ａ、５６Ｂに固定される。
【０１６６】
このような構成であっても、上述の実施例１４と同様の作用効果を得ることができる。特に蓋７１の主平板の厚みを厚くすると、より効果的である。
【０１６７】
なお、実施例１５の構成では、コード４２の引き回しが外部から見える可能性がある。この場合、本体の外周面全体を覆う形状のカバー部材を用いてもよい。このカバー部材は、コード４２の引き回し時に支柱部分が外部から見え、コード４２の引き回し後には支柱部分まで覆うように、本体の外周面に沿ってスライドできる機構を有するとよりよい。なお、このような本体の外周面全体を覆う形状のカバーは、上述の各実施例にも適用することができる。
【０１６８】
実施例１６
図２７は、実施例１６のコード引き回し用構造を示す図である。図２７（Ａ）は底面図である。図２７（Ｂ）は、図２７（Ａ）における矢印Ｂの方向から見た第１側面図である。図２７（Ｃ）は、実施例１６における電源用のコード４２の巻き付け態様を示す図であり、第１側面図である。
【０１６９】
上述の各実施形態では、支柱の太さが一定の場合を示したが、本実施例では、支柱における高さ方向の末端（本体９０に当接する側と反対側の端部）が、他の部分より太くなっている場合を示している。支柱５０Ａ’を除く構造は、図９、図１０に示した実施例１の構造と同じであるので、説明は省略する。
【０１７０】
支柱５０Ａ’は、主体部５５０と拡張部５５１とを備える。主体部５５０は、上述の実施例１に示した支柱５０Ａと同様に、円柱状である。主体部５５０には、上述の実施例１と同様に、溝５０１，５０２が形成されている。
【０１７１】
主体部５５０における円柱の高さ方向の一方端は、本体９０に当接している。主体部５５０の高さ方向の他方端には、拡張部５５１が配置されている。拡張部５５１は、主体部５５０よりも太い（断面積が大きい）円板からなる。
【０１７２】
このような構成とすることで、コード４２は、拡張部５５１と本体９０との間に挟持された状態で、主体部５５０に巻き付けられて保持される。これにより、この拡張部５５１を備えた支柱５０Ａ’が保持手段として機能する。
【０１７３】
拡張部５５１は、複数の支柱のうち、少なくとも１個に備えられていればよいが、複数の支柱に備えられていてもよい。また、本実施例１６では、実施例１の構成に適用した例を示したが、他の実施例の構成に適用させることもできる。
【０１７４】
実施例１７
図２８は、実施例１７のコード引き回し用構造を示す図である。図２８（Ａ）は底面図である。図２８（Ｂ）は、図２８（Ａ）における矢印Ｂの方向から見た第１側面図である。図２８（Ｃ）は、図２８（Ａ）における矢印Ｃの方向から見た第２側面図である。
【０１７５】
本実施例１７は、実施例１１の支柱５０Ａ，５０Ｂ，５０Ｃ，５０Ｄを省略したものである。また、本実施例１７は、実施例１１の固定壁５４Ａ，５４Ｂ，５４Ｃを一体化し、固定壁５４Ｄとしたものである。すなわち、固定壁５４Ｄは、三個の壁から構成され、これらの壁によって囲まれる空間の一方向側が開口するような、平面視して、途中で二度、略直角に屈折する形状の壁からなる。
【０１７６】
このような構成であっても、実施例１１と同様の作用効果を得ることができる。さらに、本実施例１７の構成を用いれば、構成要素が少なくなり、構造を簡素化することができる。
【０１７７】
なお、上述の説明では、平坦面が本体の底面に存在する場合を例に示したが、他の面にある場合にも、上述の各構成を適用することができる。
【符号の説明】
【０１７８】
１，１Ａ：電子機器、１０：筐体、１１０：プラグ受け、２０，２０Ａ：支柱、２０Ｂ：内周壁、２０１：空洞部、２０２、２０５：引き出し溝、２０３：誘導溝、２０４：第２引き出し溝、４０：ＡＣアダプタ、４１：本体装着用プラグ、４２：コード、９００：床面、９０１，９０２：部屋の壁面、
９０，９０Ａ，９０Ａ’，９０Ｂ：電子機器の本体、
９１Ａ，９１Ｂ：凸部、
９２Ａ，９２Ｂ：凹部、
５０Ａ，５０Ｂ，５０Ｃ，５０Ｄ，５０Ｅ，５０Ｆ，５０Ａ’，５０Ｂ’，５０Ｃ’，５０Ｄ’，５３，５５，５６：支柱、
５１：固定用支柱、
５２Ａ，５２Ｂ，５２Ｃ：壁、
５４Ａ，５４Ｂ，５４Ｃ：固定壁
５０１，５０２，５６１−５６９：溝、
５２０：切り欠き、
５５０：主体部、５５１：拡張部、
７０，７１：蓋、
７１１：突出部、
８０：操作パネル
【図１】
2013214586.tif 000003
【図２】
2013214586.tif 000004
【図３】
2013214586.tif 000005
【図４】
2013214586.tif 000006
【図５】
2013214586.tif 000007
【図６】
2013214586.tif 000008
【図７】
2013214586.tif 000009
【図８】
2013214586.tif 000010
【図９】
2013214586.tif 000011
【図１０】
2013214586.tif 000012
【図１１】
2013214586.tif 000013
【図１２】
2013214586.tif 000014
【図１３】
2013214586.tif 000015
【図１４】
2013214586.tif 000016
【図１５】
2013214586.tif 000017
【図１６】
2013214586.tif 000018
【図１７】
2013214586.tif 000019
【図１８】
2013214586.tif 000020
【図１９】
2013214586.tif 000021
【図２０】
2013214586.tif 000022
【図２１】
2013214586.tif 000023
【図２２】
2013214586.tif 000024
【図２３】
2013214586.tif 000025
【図２４】
2013214586.tif 000026
【図２５】
2013214586.tif 000027
【図２６】
2013214586.tif 000028
【図２７】
2013214586.tif 000029
【図２８】
2013214586.tif 000030